(57)【要約】【課題】ＳＤＨ／ＳＯＮＥＴ−パケット変換伝送装置に関し、ポインタ演算の処理を簡素化する。【解決手段】ＳＤＨ／ＳＯＮＥＴ信号を、ＣＥＰパケットによりパケット信号に変換して伝送する伝送装置において、送信側で、入力されるＳＤＨ／ＳＯＮＥＴ信号の位相に合わせてパケット化処理を行い、１フレームのＳＤＨ／ＳＯＮＥＴ信号のセクションオーバーヘッドを除いたデータを、該データの先頭（Ｊ１バイト）から順にＣＥＰパケット信号のデータ格納領域の固定位置に格納してパケット化して伝送する。受信側で、受信したパケット信号のデータをメモリに格納し、該メモリの読出し位相とＳＤＨ／ＳＯＮＥＴ信号のセクションオーバーヘッドの位相情報とを基にポインタ値を決定し、該メモリから読出したデータを１フレームのＳＤＨ／ＳＯＮＥＴ信号に変換し、かつ、前記ポインタ値を該ＳＤＨ／ＳＯＮＥＴ信号に付与して出力する。【選択図】図１
2011040992.tif 000002
【特許請求の範囲】
【請求項１】
ＳＤＨ／ＳＯＮＥＴ信号を、ＣＥＰ（Circuit Emulation over Packet）パケットによりパケット信号に変換して伝送する伝送装置において、
送信側で、入力されるＳＤＨ／ＳＯＮＥＴ信号の位相に合わせてパケット化処理を行い、１フレームのＳＤＨ／ＳＯＮＥＴ信号のセクションオーバーヘッドを除いたデータを、該データの先頭から順に前記パケット信号のデータ格納領域の固定位置に格納してパケット化するパケット変換手段と、
受信側で、受信したパケット信号のデータをメモリに格納し、該メモリの読出し位相とＳＤＨ／ＳＯＮＥＴ信号のセクションオーバーヘッドの位相情報とを基に、該ＳＤＨ／ＳＯＮＥＴ信号のセクションオーバーヘッドに挿入するポインタ値を決定し、該メモリから読出したデータを１フレームのＳＤＨ／ＳＯＮＥＴ信号に変換し、かつ、前記ポインタ値を該ＳＤＨ／ＳＯＮＥＴ信号に付与して出力するＳＤＨ／ＳＯＮＥＴ信号変換手段と、
を備えたことを特徴とするＳＤＨ／ＳＯＮＥＴ−パケット変換伝送装置。
【請求項２】
前記パケット変換手段は、前記ＳＤＨ／ＳＯＮＥＴ信号の１フレームのデータを、複数のＣＥＰパケットに分割してパケット化する手段を備え、前記ＳＤＨ／ＳＯＮＥＴ信号変換手段は、分割された複数のＣＥＰパケット信号を受信し、該受信したＣＥＰパケット信号のデータをメモリに格納する手段を備えたことを特徴とする請求項１に記載のＳＤＨ／ＳＯＮＥＴ−パケット変換伝送装置。
【請求項３】
送信側で、前記ＳＤＨ／ＳＯＮＥＴ信号を複数のＣＥＰパケットに分割してパケット化する際に、前記ＣＥＰパケットのヘッダに、ＳＤＨ／ＳＯＮＥＴ信号の各分割データの位相情報を示す情報を格納して送信し、受信側で、該位相情報を基に、複数に分割されたＳＤＨ／ＳＯＮＥＴ信号の各分割データの位相を認識することを特徴とする請求項２に記載のＳＤＨ／ＳＯＮＥＴ−パケット変換伝送装置。
【請求項４】
前記各分割データの位相情報を示す情報を、前記ＣＥＰパケットのヘッダにおけるシーケンス番号を示す領域の一部に格納して伝送することを特徴とする請求項３に記載のＳＤＨ／ＳＯＮＥＴ−パケット変換伝送装置。
【請求項５】
前記各分割データの位相情報を示す情報を、前記ＣＥＰパケットのヘッダにおけるフラグを示す領域に格納して伝送することを特徴とする請求項３に記載のＳＤＨ／ＳＯＮＥＴ−パケット変換伝送装置。
【請求項６】
前記各分割データの位相情報を示す情報を、前記ＣＥＰパケットのヘッダにおけるポインタ値を示す領域に格納して伝送することを特徴とする請求項３に記載のＳＤＨ／ＳＯＮＥＴ−パケット変換伝送装置。
【請求項７】
前記各分割データの位相情報を示す情報を、前記ＣＥＰパケットのペイロード領域に格納して伝送することを特徴とする請求項３に記載のＳＤＨ／ＳＯＮＥＴ−パケット変換伝送装置。
【請求項８】
受信側において、前記分割して送信されたＳＤＨ／ＳＯＮＥＴ信号の各ＣＥＰパケット信号を一時的に保持し、該ＣＥＰパケット信号の少なくとも１つのパケット伝送で発生した警報情報を、該ＣＥＰパケット信号に分割した１フレームのＳＤＨ／ＳＯＮＥＴ信号の警報情報に反映させて、前記ＳＤＨ／ＳＯＮＥＴ信号を出力することを特徴とする請求項２に記載のＳＤＨ／ＳＯＮＥＴ−パケット変換伝送装置。
【請求項９】
受信側において、前記分割して送信されたＳＤＨ／ＳＯＮＥＴ信号の各ＣＥＰパケット信号を一時的に保持し、該ＣＥＰパケット信号の少なくとも１つのパケット伝送で発生した警報情報を、該ＣＥＰパケット信号に分割した１フレームのＳＤＨ／ＳＯＮＥＴ信号を含む複数フレームのＳＤＨ／ＳＯＮＥＴ信号の警報情報に反映させて、前記ＳＤＨ／ＳＯＮＥＴ信号を出力することを特徴とする請求項２に記載のＳＤＨ／ＳＯＮＥＴ−パケット変換伝送装置。
【請求項１０】
受信側において、受信したパケット信号のデータをメモリに一時保持した後、順次読み出してＳＤＨ／ＳＯＮＥＴ信号を構築する際、該ＳＤＨ／ＳＯＮＥＴ信号のセクションオーバーヘッドの位相情報を基に、前記メモリからのデータ読出しの位相を決定し、前記ＳＤＨ／ＳＯＮＥＴ信号のセクションオーバーヘッドに固定値のポインタ値を付与することを特徴とする請求項１に記載のＳＤＨ／ＳＯＮＥＴ−パケット変換伝送装置。
【請求項１１】
受信側において、受信したパケット信号のデータをメモリに一時保持した後、順次読み出してＳＤＨ／ＳＯＮＥＴ信号を構築し、該ＳＤＨ／ＳＯＮＥＴ信号のセクションオーバーヘッドの位相と前記メモリの読出し位相との差分をポインタ値として付与する際に、前記メモリにおけるデータ保持量を監視し、該データ保持量が一定の範囲を超えて増減したときに、ＳＤＨ／ＳＯＮＥＴ信号の構築時に付与するポインタ値によりスタッフィングを実施することを特徴とする請求項１に記載のＳＤＨ／ＳＯＮＥＴ−パケット変換伝送装置。
【発明の詳細な説明】
【技術分野】
【０００１】
本発明はＳＤＨ／ＳＯＮＥＴ−パケット変換伝送装置に関し、ＳＤＨ／ＳＯＮＥＴ（Synchronous Digital Hierarchy：同期デジタル・ハイアラーキ）／Synchronous Optical NETwork：同期光伝送網）信号を、ＣＥＰ（Circuit Emulation over Packet）パケットに変換して伝送するＳＤＨ／ＳＯＮＥＴ−パケット変換伝送装置に関する。
【背景技術】
【０００２】
従来、ＳＤＨ／ＳＯＮＥＴ網とパケット網とは完全に分離して構築され、或いは、パケットをＳＤＨ／ＳＯＮＥＴ信号にＥＯＳ（Ethernet(登録商標) Over SDH/SONET）により変換し、ＳＤＨ／ＳＯＮＥＴ網で伝送するシステムは存在するが、近年、パケット網が急速に発展普及し、ＳＤＨ／ＳＯＮＥＴ信号をパケット網で伝送するシステムが要求され、そのようなシステムのためにＲＦＣ４８４２により、ＳＤＨ／ＳＯＮＥＴ信号をパケット化するＣＥＰ（Circuit Emulation over Packet）によるパケット伝送方式が規定されている。
【０００３】
図４の（ａ）にＣＥＰパケットのヘッダフォーマットを示す。ＣＥＰパケットのヘッダは、ＳＤＨ／ＳＯＮＥＴ信号のＡＩＳ（Alarm Indication Signal：警報表示信号）の存否を示す“Ｌ”、ＣＥＰ−ＲＤＩ（Remote Defect Indication）を示す“Ｒ”、ネガティブ／ポジティブスタップを示す“ＮＰ”、３ビットのフラグを示す“ＦＲＧ”、パケット長を示す“Ｌｅｎｇｔｈ”、パケットのシーケンス番号を示す“Ｓｅｑｕｅｎｃｅ  Ｎｕｍｂｅｒ”、及びＣＥＰパケットにおけるＳＤＨ／ＳＯＮＥＴ信号のデータ先頭位置及びタッフ操作を示すポインタ値を格納する“Ｓｔｒｕｃｔｕｒｅ  Ｐｏｉｎｔｅｒ”の領域を有する。
【０００４】
従来のＳＤＨ／ＳＯＮＥＴ信号のパケット化では、送信側においてＳＤＨ／ＳＯＮＥＴ信号をパケット化する際に、入力されるＳＤＨ／ＳＯＮＥＴ信号の位相にパケット化処理を同期させることなく、周期的にパケット化を行っている。図４の（ｂ）に従来のＳＤＨ／ＳＯＮＥＴ信号のパケット化の例を示す。
【０００５】
図４の（ｂ）に示す従来のパケット化では、ＳＤＨ／ＳＯＮＥＴ信号のセクションオーバーヘッドを除いたバーチャルコンテナ（ＶＣ−ｎ）のデータを、ＳＤＨ／ＳＯＮＥＴ信号の１フレーム周期で、ＳＤＨ／ＳＯＮＥＴ信号の入力位相と非同期でパケット化する。従って、図４の（ｂ）に破線で示すように、ＳＤＨ／ＳＯＮＥＴ信号の１フレームの途中から次の１フレームの途中までのデータを１つのＣＥＰパケットにパケット化することとなる。
【０００６】
そのため、ＳＤＨ／ＳＯＮＥＴ信号のデータの先頭バイト（例の場合はＪ１バイト）と、ＣＥＰパケットのデータの先頭位置との位相差τを示す情報を、ＣＥＰパケットのヘッダにポインタ値として挿入して送信する。なお、入力されたＳＤＨ／ＳＯＮＥＴ信号のポインタ値がスタッフ操作を指示する値であった場合は、該ポインタ値をそのままＣＥＰパケットのヘッダに挿入して送信する。
【０００７】
受信側では、受信したＣＥＰパケット信号を一時的にメモリに保持した後、ＳＤＨ／ＳＯＮＥＴ信号に変換する必要がある。これは、ＳＤＨ／ＳＯＮＥＴ信号は、連続的な信号であるのに対し、パケット信号は、伝送途中の遅延時間のゆらぎ等が有り、各ＣＥＰパケットの到着時間が或る程度離散的となってしまうため、各ＣＥＰパケットの到着時間のバラツキを吸収し、ＳＤＨ／ＳＯＮＥＴ信号に戻した際の連続性を担保するためである。
【０００８】
従来の受信側でのパケット−ＳＤＨ／ＳＯＮＥＴ変換処理の機能ブロックの構成例を図５に示す。受信側では、受信したＣＥＰパケットをパケット同期部１でパケット同期化を行った後、ポインタ同期部２でＣＥＰパケットのヘッダのポインタ値を基にポインタ同期を取り、書込制御部３の制御の下に、ＣＥＰパケットのペイロードデータを第１のメモリ４に書込むが、このとき、ポインタ値を第２のメモリ５に保持しておく必要がある。
【０００９】
また、ポインタ同期処理の結果、スタッフ指示を検出した場合は、そのスタッフ指示を書込制御部３に通知し、書込制御を変更する必要がある。ＳＤＨ／ＳＯＮＥＴ信号への変換においては、読出制御部６による第１のメモリ４の読出し位相と、第２のメモリ５に保持したポインタ値と、多重するセクションオーバーヘッド（ＳＯＨ）の位相情報とから、ＳＤＨ／ＳＯＮＥＴ信号に付与すべきポインタ値をポインタ演算部７で演算し、該ポインタ値をＳＤＨ／ＳＯＮＥＴ信号のセクションオーバーヘッド（ＳＯＨ）にポインタ付与部８で付与し、ＳＤＨ／ＳＯＮＥＴ信号を出力する必要がある。
【００１０】
なお、時分割多重伝送をパケット交歓網上で擬似的に実現する回線エミュレーション（ＣＥＰ：Circuit Emulation over Packet）については、例えば下記の特許文献１等に記載されている。また、ＳＤＨ／ＳＯＮＥＴ信号のＣＥＰ（Circuit Emulation over Packet）によるパケット化については、下記の非特許文献１に記載されている。
【先行技術文献】
【特許文献】
【００１１】
【特許文献１】特開２００８−１２４７０５号公報
【非特許文献】
【００１２】
【非特許文献１】SONET/SDH Circuit Emulation over Packet(CEP)draft-ietf-pwe3-sinet-12
【発明の概要】
【発明が解決しようとする課題】
【００１３】
従来の技術では、送信側においては、ＳＤＨ／ＳＯＮＥＴ信号をパケット化する際に、入力されるＳＤＨ／ＳＯＮＥＴ信号の位相と無関係に周期的にパケット化を行っている。そのため、受信側では、パケット同期処理を行った後、ポインタ同期処理を行い、ポインタ値をメモリに保持し、ＳＤＨ／ＳＯＮＥＴ信号への変換時に、パケットデータの読出し位相とポインタ値とセクションオーバーヘッド（ＳＯＨ）の位相情報とから、付与すべきポインタ値を演算して、ポインタを付与する必要があり、受信側でのポインタ演算処理が複雑かつ膨大となるという問題があった。
【００１４】
また、例えばＶＣ−４パスの１フレームのＳＤＨ／ＳＯＮＥＴ信号を１つのＣＥＰパケットに変換した場合、ペイロード部分のデータだけで２３４９バイトとなってしまい、イーサネット（登録商標）等の標準的なパケットサイズである１５００バイトに比べて、パケットサイズが大きく、伝送遅延や遅延時間のゆらぎが増大するという問題があった。
【００１５】
また、ＳＤＨ／ＳＯＮＥＴ信号の１フレームのデータを複数に分割してパケット化した場合に、パケット伝送時に発生した警報をパケット単位で反映してしまうと、ＳＤＨ／ＳＯＮＥＴ信号に部分的に反映されてしまうという問題があった。また、入力ＳＤＨ／ＳＯＮＥＴ信号のワンダに対応するため、ＳＤＨ／ＳＯＮＥＴ信号のパケット化への変換におけるデータ格納メモリに、大容量のメモリを用いなければならないという問題があった。本発明は、上記の各課題を解決することができるＳＤＨ／ＳＯＮＥＴ−パケット変換伝送装置を提供する。なお、以下の説明では、ＣＥＰパケットを単にパケットとも称する。
【課題を解決するための手段】
【００１６】
本発明のＳＤＨ／ＳＯＮＥＴ−パケット変換伝送装置は、ＳＤＨ／ＳＯＮＥＴ信号を、ＣＥＰ（Circuit Emulation over Packet）パケットによりパケット信号に変換して伝送する伝送装置において、送信側で、入力されるＳＤＨ／ＳＯＮＥＴ信号の位相に合わせてパケット化処理を行い、１フレームのＳＤＨ／ＳＯＮＥＴ信号のセクションオーバーヘッドを除いたデータを、該データの先頭から順に前記パケット信号のデータ格納領域の固定位置に格納してパケット化するパケット変換手段と、受信側で、受信したパケット信号のデータをメモリに格納し、該メモリの読出し位相とＳＤＨ／ＳＯＮＥＴ信号のセクションオーバーヘッドの位相情報とを基に、該ＳＤＨ／ＳＯＮＥＴ信号のセクションオーバーヘッドに挿入するポインタ値を決定し、該メモリから読出したデータを１フレームのＳＤＨ／ＳＯＮＥＴ信号に変換し、かつ、前記ポインタ値を該ＳＤＨ／ＳＯＮＥＴ信号に付与して出力するＳＤＨ／ＳＯＮＥＴ信号変換手段と、を備えたものである。
【００１７】
また、前記パケット変換手段は、前記ＳＤＨ／ＳＯＮＥＴ信号の１フレームのデータを、複数のＣＥＰパケットに分割してパケット化する手段を備え、前記ＳＤＨ／ＳＯＮＥＴ信号変換手段は、分割された複数のＣＥＰパケット信号を受信し、該受信したＣＥＰパケット信号のデータをメモリに格納する手段を備えたものである。
【００１８】
また、受信側において、前記分割して送信されたＳＤＨ／ＳＯＮＥＴ信号の各ＣＥＰパケット信号を一時的に保持し、該ＣＥＰパケット信号の少なくとも１つのパケット伝送で発生した警報情報を、該ＣＥＰパケット信号に分割した１フレームのＳＤＨ／ＳＯＮＥＴ信号の警報情報に反映させて、前記ＳＤＨ／ＳＯＮＥＴ信号を出力するものである。
【００１９】
また、受信側において、受信したパケット信号のデータをメモリに一時保持した後、順次読み出してＳＤＨ／ＳＯＮＥＴ信号を構築し、該ＳＤＨ／ＳＯＮＥＴ信号のセクションオーバーヘッドの位相と前記メモリの読出し位相との差分をポインタ値として付与する際に、前記メモリにおけるデータ保持量を監視し、該データ保持量が一定の範囲を超えて増減したときに、ＳＤＨ／ＳＯＮＥＴ信号の構築時に付与するポインタ値によりスタッフィングを実施するものである。
【発明の効果】
【００２０】
本発明によれば、ＳＤＨ／ＳＯＮＥＴ信号を、パケット網を用いて伝送する場合において、パケット内のＳＤＨ／ＳＯＮＥＴ信号位置が固定位置となるため、従来に比べて受信側でのポインタ演算処理を簡素化することができる。また、ＳＤＨ／ＳＯＮＥＴ信号の１フレームのデータを複数のパケットに分割して伝送することにより、伝送遅延やゆらぎを抑制することが可能となる。
【００２１】
更に、ＳＤＨ／ＳＯＮＥＴ信号の１フレームのデータを複数のパケットに分割して伝送した場合でも、パケット伝送における部分的な警報を、ＳＤＨ／ＳＯＮＥＴ信号のフレーム単位で反映させることが可能となる。また、入力されるＳＤＨ／ＳＯＮＥＴ信号が、周波数偏差やワンダ等の影響により位相変動が発生している場合でも、該ＳＤＨ／ＳＯＮＥＴ信号のパケット化データを受信した受信側において、再構築するＳＤＨ／ＳＯＮＥＴ信号に対してスタッフィングを実施することにより、スリップ等による信号の抜け落ち（瞬断）を回避することができる。
【図面の簡単な説明】
【００２２】
【図１】本発明によるＳＤＨ／ＳＯＮＥＴ信号のパケット化の例を示す図である。
【図２】本発明のパケット−ＳＤＨ／ＳＯＮＥＴ変換処理の構成例を示す図である。
【図３】本発明のパケット−ＳＤＨ／ＳＯＮＥＴ変換処理の実施例を示す図である。
【図４】ＣＥＰパケットのヘッダフォーマット及び従来のＳＤＨ／ＳＯＮＥＴ信号のパケット化の例を示す図である。
【図５】従来のパケット−ＳＤＨ／ＳＯＮＥＴ変換処理の構成例を示す図である。
【発明を実施するための形態】
【００２３】
本発明では、送信側において入力されるＳＤＨ／ＳＯＮＥＴ信号の位相に合わせてパケット化処理を行う。図１に本発明によるパケット処理化の例を示す。図１の例では、１フレームのＳＤＨ／ＳＯＮＥＴ信号のバーチャルコンテナ（ＶＣ−ｎ）のデータ（セクションオーバーヘッドを除いたデータ）を、該１フレームの先頭バイト（例の場合はＪ１バイト）から順に格納してパケット化する。そして図４に示したＣＥＰヘッダのポインタ値に固定値（この場合“０”）を挿入する。
【００２４】
なお、入力されたＳＤＨ／ＳＯＮＥＴ信号のポインタ値がスタッフ指示を示すポインタ値であった場合でも、ＣＥＰヘッダのポインタ値としてそれを透過させず、該スタッフ指示に従ってパケット化のタイミング周期を１バイト前後させることにより、実質的に該スタッフ指示と同等の送信タイミング調整を行う。
【００２５】
即ち、ＳＤＨ／ＳＯＮＥＴ信号を、ＣＥＰによりパケット化して伝送するシステムにおいて、送信側（ＳＤＨ／ＳＯＮＥＴ信号をパケット信号に変換する側）では、ポインタ値が必ず固定値となるようにパケット化する手段を具備し、受信側（パケット信号をＳＤＨ／ＳＯＮＥＴ信号に変換する側）では、パケット内のＳＤＨ／ＳＯＮＥＴ信号位置が常に固定位置であるとして処理する。
【００２６】
受信側では、パケット信号を一時的にメモリに保持する。これは、ＳＤＨ／ＳＯＮＥＴ信号は連続的な信号であるが、パケット信号は伝送途中のゆらぎ等により、或る程度各パケット到着時間が離散的となってしまうため、ＳＤＨ／ＳＯＮＥＴ信号の連続性を担保するために必要となる。
【００２７】
本発明による受信側のパケット−ＳＤＨ／ＳＯＮＥＴ変換処理の機能ブロックの構成例を図２に示す。受信側では、受信パケットをパケット同期部１でパケット同期処理を行った後、書込制御部３の制御の下にパケットデータを第１のメモリ４に書込むが、パケット内のＳＤＨ／ＳＯＮＥＴ信号の位相が固定されているため、従来のようにポインタ同期を行う必要はなく、受信したパケットのデータの格納位置から、ＳＤＨ／ＳＯＮＥＴ信号のデータの位相が固定的に認識される。
【００２８】
ＳＤＨ／ＳＯＮＥＴ信号への変換においては、読出制御部６により第１のメモリ４からパケットデータを読出し、該読出し位相と、多重するセクションオーバーヘッド（ＳＯＨ）の位相情報とから、ＳＤＨ／ＳＯＮＥＴ信号に付与すべきポインタ値をポインタ演算部７で演算し、該ポインタ値をＳＤＨ／ＳＯＮＥＴ信号のセクションオーバーヘッド（ＳＯＨ）にポインタ付与部８で付与し、ＳＤＨ／ＳＯＮＥＴ信号を出力する。
【００２９】
上述したように、送信側において入力されるＳＤＨ／ＳＯＮＥＴ信号の位相に合わせてパケット化処理を行うため、ＳＤＨ／ＳＯＮＥＴ信号の１フレームのデータを、複数のパケットに分割して送信することが可能となる。複数のパケットに分割して送信することにより、パケットサイズが小さくなり、伝送遅延やゆらぎを抑制することができる。
【００３０】
なお、ＳＤＨ／ＳＯＮＥＴ信号の１フレームのデータを、複数のパケットに分割してパケット変換する場合、ＣＥＰパケットのヘッダを利用して各分割データの位相情報を示し、受信側に通知する。該位相情報を示す第１の手法として、ＣＥＰパケットのヘッダ中のシーケンス番号を示す“Ｓｅｑｕｅｎｃｅ  Ｎｕｍｂｅｒ”の一部を用い示すことができる。
【００３１】
例えば、ＳＤＨ／ＳＯＮＥＴ信号の１フレームのデータを３分割した場合、１番目のデータであることを示す“０１”、２番目のデータであることを示す“１０”、３番目のデータであることを示す“１１”等の２ビットの情報を、“Ｓｅｑｕｅｎｃｅ  Ｎｕｍｂｅｒ”の上位又は下位の２ビットに割り当てて受信側に通知する構成とすることができる。
【００３２】
また、分割した各データの位相情報を示す第２の手法として、ＣＥＰパケットのヘッダ中の３ビットのフラグを示す“ＦＲＧ”を利用して、各データの位相情報を示す構成とすることができる。また、該位相情報を示す第３の手法として、ＣＥＰパケットのヘッダ中のポインタ値を格納する“Ｓｔｒｕｃｔｕｒｅ  Ｐｏｉｎｔｅｒ”の領域を利用することができる。
【００３３】
本発明においては、ＳＤＨ／ＳＯＮＥＴ信号のパケット内の開始位置は固定位置であり、従って“Ｓｔｒｕｃｔｕｒｅ  Ｐｏｉｎｔｅｒ”のポインタ値は固定値（例えば“０”）となるので、この決まりきった値を受信側に通知する必要はなく、このポインタ値の通知に代えて、分割した各データの位相情報を通知する構成とすることができる。
【００３４】
また、該位相情報を示す第４の手法として、ＣＥＰヘッダを利用せず、パケットのペイロード領域に該位相情報を書き込む領域を設けて、分割した各データの位相情報を通知する構成とすることができる。
【００３５】
次に、ＳＤＨ／ＳＯＮＥＴ信号の１フレームのデータを分割してパケット化した場合に、パケット伝送で発生した警報の処理について説明する。ＳＤＨ／ＳＯＮＥＴ信号の１フレームのデータを分割してパケット化した場合、該パケットを受信した受信側では、ＳＤＨ／ＳＯＮＥＴ信号の１フレーム分の受信データを一時的に保持し、ＣＥＰパケットの１つで発生した警報情報を、ＳＤＨ／ＳＯＮＥＴ信号の１フレーム分の各ＣＥＰパケットの警報情報に反映させ、ＳＤＨ／ＳＯＮＥＴ信号の１フレーム単位に警報情報を反映させてＳＤＨ／ＳＯＮＥＴ信号を出力する。こうすることにより、ＳＤＨ／ＳＯＮＥＴ信号の部分的な警報の反映ではなく、ＳＤＨ／ＳＯＮＥＴ信号のフレーム単位に警報情報を反映させることができる。
【００３６】
更に、ＳＤＨ／ＳＯＮＥＴ信号の１フレームのデータを分割してパケット化した場合、該パケットを受信した受信側では、ＳＤＨ／ＳＯＮＥＴ信号の複数フレーム（例えば３フレーム）の受信データを一時的に保持し、ＣＥＰパケットの１つで発生した警報情報を、該ＣＥＰパケット信号に分割した１フレームのＳＤＨ／ＳＯＮＥＴ信号を含む複数フレーム（例えば３フレーム）のＳＤＨ／ＳＯＮＥＴ信号の警報情報に反映させて、ＳＤＨ／ＳＯＮＥＴ信号を出力する。こうすることにより、ＳＤＨ／ＳＯＮＥＴ信号の部分的な警報の反映ではなく、ＳＤＨ／ＳＯＮＥＴ信号の複数のフレームに警報情報を反映させることが可能となる。
【００３７】
次に、受信側でＳＤＨ／ＳＯＮＥＴ信号を構築する際のポインタ値の付与の処理例について説明する。受信側では、ＣＥＰパケットのペイロードデータを第１のメモリ４に一時保持し、該第１のメモリ４からデータを順次読み出し、ＳＤＨ／ＳＯＮＥＴ信号を構築するとき、出力するＳＤＨ／ＳＯＮＥＴ信号のセクションオーバーヘッド（ＳＯＨ）の位相情報から、第１のメモリ４の読出し位相を決定し、ポインタ値として固定値を付与する構成とすることができる。こうすることにより、ポインタ値の演算を不要とし、処理の簡略化を図ることができる。
【００３８】
次に、送信側で入力されるＳＤＨ／ＳＯＮＥＴ信号のワンダ等による位相変動に対処する処理例について説明する。送信側に入力されるＳＤＨ／ＳＯＮＥＴ信号が、周波数偏差やワンダ等の影響により位相変動が発生している場合に、受信側で何も対処を施さないと、ＳＤＨ／ＳＯＮＥＴ信号の再構築データに、スリップ等によるデータの抜け落ち（瞬断）が発生してしまう場合がある。
【００３９】
そこで、受信側でパケットデータを第１のメモリ４に一時保持し、該第１のメモリ４からパケットデータを順次読み出し、ＳＤＨ／ＳＯＮＥＴ信号を構築するに際して、ＳＤＨ／ＳＯＮＥＴ信号のセクションオーバーヘッド（ＳＯＨ）の位相と、第１のメモリ４の読出し位相との差分をポインタ値として付与するとき、パケットデータ保持量（第１のメモリ４における書込みデータ量から読出しデータ量を差し引いた差分）を監視し、該パケットデータ保持量が一定の範囲を超えて増減した場合は、スタッフィングを実施（付与するポインタ値及び読出し位相を制御）する。
【００４０】
即ち、パケットデータ保持量が或る範囲の上限値を超えた場合は、ネガティブスタッフを指示するポインタ値を生成し、かつ、第１のメモリ４の読出し位相を速める。一方、パケットデータ保持量が上記或る範囲の下限値以下となった場合は、ポジティブスタッフを指示するポインタ値を生成し、かつ、第１のメモリ４の読出し位相を遅らせる。こうすることにより、受信側でのデータ保持量を調整し、再構築するＳＤＨ／ＳＯＮＥＴ信号に抜け落ち（瞬断）の発生を防ぐことができる。
【実施例】
【００４１】
本発明によるＣＥＰパケットからＳＤＨ／ＳＯＮＥＴ信号への変換処理の実施例を図３に示す。パケット同期部１は、受信したＣＥＰパケットのヘッダのシーケンス番号が正しいか（抜けはないか）、ＣＥＰ−ＡＩＳ等の警報情報が転送されてきてないか等チェックし、警報情報の転送の必要がある場合は、警報転送処理部１０へ該警報情報を渡す。
【００４２】
また、パケット同期部１は、書込制御部３に、正常受信の場合にペイロードの先頭を示す情報を渡し、ＣＥＰ−ＡＩＳ等の警報情報を受信した場合、１パケット分のアドレスをスキップするよう指示し、パケットロスを検出した場合、ロスしたパケット分のアドレスをスキップする指示とペイロードの先頭を示す情報を渡す。
【００４３】
書込制御部３では、パケット同期部１から渡される情報を基に、パケットデータの位相により特定されるアドレス、メモリ４の書込みアドレスとして発生させる。また、発生させた書込みアドレスを、位相比較部９及び警報転送処理部１０へ渡す。
【００４４】
位相比較部９では、書込制御部３からのメモリ書込みアドレスと、読出制御部６からのメモリ読出しアドレスとを比較し、その差が一定となるよう、読出制御部６とポインタ演算部７に対してポジティブ／ネガティブスタッフを指示する。
【００４５】
読出制御部６は、メモリ読出しアドレスを発生させるが、位相比較部９からのスタッフ指示があった場合は、該指示に対応して読出しを制御する。即ち、ネガティブスタッフの指示のときは、Ｈ３バイト相当の位相で読出しを実施し、ポジティブスタッフ指示のときは、Ｈ３バイト相当直後の位相で１バイト分読出しを止める処理を実施する。また、読出制御部６は、ポインタ演算部７、位相比較部９及び警報転送処理部１０へ読出しアドレスを渡す。
【００４６】
ポインタ演算部７は、読出制御部６からの読出しアドレス情報と、ＳＤＨ／ＳＯＮＥＴ信号のセクションオーバーヘッド（ＳＯＨ）の位相情報とを比較してポインタ値を演算し、該ポインタ値をポインタ付与部８へ渡す。また、位相比較部９よりスタッフィングの指示があった場合は、スタッフ指示を示すポインタ値に変換し、該ポインタ値をポインタ付与部８へ渡す。
【００４７】
警報転送処理部１０では、書込制御部３の書込みアドレスと読出制御部６の読出しアドレスとから、メモリ４の読出し遅延を計算し、パケット同期部１からの警報情報をどのタイミングで出力ＳＤＨ／ＳＯＮＴ信号に反映させるかを決定し、挿入する警報情報と反映させるタイミング情報とを警報挿入部１１へ渡す。警報挿入部１１は、警報転送処理部１０から渡されるこれらの情報を基に、警報情報を挿入してＳＤＨ／ＳＯＮＴ信号を出力する。以上の構成により本発明の実施例は、従来の構成例に比べて回路規模を削減したＳＤＨ／ＳＯＮＥＴ−パケット変換伝送装置を構成することができる。
【符号の説明】
【００４８】
１  パケット同期部
２  ポインタ同期部
３  書込制御部
４  第１のメモリ
５  第２のメモリ
６  読出制御部
７  ポインタ演算部
８  ポインタ付与部
９  位相比較部
１０  警報転送処理部
１１  警報挿入部
【図１】
2011040992.tif 000003
【図２】
2011040992.tif 000004
【図３】
2011040992.tif 000005
【図４】
2011040992.tif 000006
【図５】
2011040992.tif 000007